【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
パーソナルオーディオデバイスであって、該パーソナルオーディオデバイスは、
パーソナルオーディオデバイス筐体と、
オーディオ信号を再生するために該筐体に設置されているトランスデューサであって、該オーディオ信号は、リスナへの再生のためのソースオーディオと、該トランスデューサの音響出力における周囲のオーディオサウンドの影響を打ち消すためのアンチノイズ信号との両方を含む、トランスデューサと、
該周囲のオーディオサウンドを示す基準マイクロフォン信号を提供するために該筐体に設置されている基準マイクロフォンと、
該トランスデューサの音響出力および該トランスデューサにおける該周囲のオーディオサウンドを示すエラーマイクロフォン信号を提供するために、該トランスデューサの近くにおいて該筐体に設置されているエラーマイクロフォンと、
応答を有する適合的フィルタを実装する処理回路であって、該応答は、該基準信号から、該リスナによって聞き取られる該周囲のオーディオサウンドの存在を低減するための該アンチノイズ信号を生成する、処理回路と
を備え、
該処理回路は、該適合的フィルタとの機能的直列で作用する所定の応答を有する第１の固定フィルタを実装し、該所定の応答は、該リスナによって聞き取られる該トランスデューサの音響出力のアンチノイズ信号成分を変更し、該処理回路は、該ソースオーディオを成形する二次経路応答を有する二次経路適合的フィルタと、コンバイナとをさらに実装し、該コンバイナは、該リスナに送達される組み合わされたアンチノイズと周囲のオーディオサウンドとを示すエラー信号を提供するために、該エラーマイクロフォン信号から該ソースオーディオを除去し、該処理回路は、さらに、該第１の固定フィルタの出力を差し引き、該二次経路適合的フィルタに提供されている該ソースオーディオに該適合的フィルタの出力を加え、該エラー信号から該第１の固定フィルタの効果を除去し、該処理回路は、該エラーマイクロフォンにおける該周囲のオーディオサウンドを最小化するために、該適合的フィルタの応答を適合させることによって、該エラー信号および該基準マイクロフォン信号に従う該適合的フィルタの応答を成形する、パーソナルオーディオデバイス。
【請求項２】
修正する周波数応答は、前記アンチノイズ信号から特定の問題周波数を除去するために成形されている応答である、請求項１に記載のパーソナルオーディオデバイス。
【請求項３】
前記特定の問題周波数は、前記基準マイクロフォンと前記エラーマイクロフォンとの間の音響経路に存在している、２ｋＨｚと５ｋＨｚとの間の周波数範囲におけるマルチパスヌルである、請求項２に記載のパーソナルオーディオデバイス。
【請求項４】
前記処理回路は、位相応答を有する第２の固定フィルタをさらに実装し、該位相応答は、前記第１のフィルタの所定の位相応答と整合しているが、しかし、該第１の固定フィルタの該所定の応答が実質的な減衰を有する周波数帯域にわたる周波数を通過させる振幅応答を有し、該処理回路は、該第２の固定フィルタを用いて、前記ソースオーディオに加えられる前記適合的フィルタの出力をフィルタリングし、それによって、該第１の固定フィルタの位相応答は、該適合的フィルタの適合においてエラーを引き起こさず、該処理回路は、該第２の固定フィルタの応答と整合している応答を有する第３の固定フィルタをさらに実装し、該処理回路は、さらに、該第３の固定フィルタを用いて、前記二次経路適合的フィルタのコピーに供給されている前記基準マイクロフォン信号をフィルタリングする、請求項１に記載のパーソナルオーディオデバイス。
【請求項５】
前記パーソナルオーディオデバイスは、ダウンリンクオーディオ信号として前記ソースオーディオを受信するためのトランシーバをさらに備えている無線電話機である、請求項１に記載のパーソナルオーディオデバイス。
【請求項６】
前記パーソナルオーディオデバイスは、オーディオ再生デバイスであり、前記ソースオーディオは、プログラムオーディオ信号である、請求項１に記載のパーソナルオーディオデバイス。
【請求項７】
パーソナルオーディオデバイスのトランスデューサの近くにおける周囲のオーディオサウンドをキャンセルする方法であって、該方法は、
基準マイクロフォン信号を生成するために、基準マイクロフォンを用いて、該周囲のオーディオサウンドの第１の測定を行うことと、
エラーマイクロフォンを用いて、該トランスデューサの出力および該トランスデューサにおける該周囲のオーディオサウンドの第２の測定を行うことと、
該基準マイクロフォンの出力をフィルタリングする適合的フィルタの応答を適合させることにより、該第１の測定および該第２の測定の結果から、該トランスデューサの音響出力における該周囲のオーディオサウンドの影響を打ち消すためのアンチノイズ信号を適合的に生成することと、
所定の応答を有する第１の固定フィルタを用いて、該適合的に生成することの結果をフィルタリングすることと、
二次経路応答を用いて該ソースオーディオのコピーを成形することと、
該リスナに送達される組み合わされたアンチノイズと周囲のオーディオサウンドとを示すエラー信号を生成するために、該エラーマイクロフォン信号から該ソースオーディオのコピーを成形することの結果を除去することと、
該適合的フィルタに入力を提供するために、該二次経路適合的フィルタのコピーによる応答を用いて、該基準マイクロフォン信号の第２のフィルタリングを行うことと、
該エラー信号から該第１の固定フィルタの効果を除去するために、該第１の固定フィルタの出力を差し引き、該二次経路適合的フィルタに提供されている該ソースオーディオに該適合的フィルタの出力を加えることと、
該アンチノイズ信号をソースオーディオ信号と組み合わせることにより、該トランスデューサに提供されるオーディオ信号を生成することと
を含む、方法。
【請求項８】
修正する周波数の応答は、前記アンチノイズ信号から特定の問題周波数を除去するために成形されている応答である、請求項７に記載の方法。
【請求項９】
前記特定の問題周波数は、前記基準マイクロフォンと前記エラーマイクロフォンとの間の音響経路に存在している、２ｋＨｚと５ｋＨｚとの間の周波数範囲におけるマルチパスヌルである、請求項８に記載の方法。
【請求項１０】
位相応答を有する第２の固定フィルタを用いて、前記ソースオーディオに加えられている適合的フィルタの出力の一部分をフィルタリングすることであって、該位相応答は、前記第１の固定フィルタの所定の位相応答と整合しているが、しかし、該第１の固定フィルタの該所定の応答が実質的な減衰を有する周波数帯域にわたる周波数を通過させる振幅応答を有し、それによって、該第１の固定フィルタの位相応答は、前記適合的に生成することにおいてエラーを引き起こさない、ことと、
応答を有する第３の固定フィルタを用いて、前記第２のフィルタリングに供給されている前記基準マイクロフォン信号をフィルタリングすることであって、該応答は、該第２の固定フィルタの応答に等しい、ことと
をさらに含む、請求項７に記載の方法。
【請求項１１】
前記パーソナルオーディオデバイスは、無線電話機であり、前記方法は、ダウンリンクオーディオ信号として前記ソースオーディオを受信することをさらに含む、請求項７に記載の方法。
【請求項１２】
前記パーソナルオーディオデバイスは、オーディオ再生デバイスであり、前記ソースオーディオは、プログラムオーディオ信号である、請求項７に記載の方法。
【請求項１３】
パーソナルオーディオデバイスの少なくとも一部分を実装するための集積回路であって、該集積回路は、
リスナへの再生のためのソースオーディオと、トランスデューサの音響出力における周囲のオーディオサウンドの影響を打ち消すためのアンチノイズ信号との両方を含む信号を該トランスデューサに提供するための出力部と、
該周囲のオーディオサウンドを示す基準マイクロフォン信号を受信するための基準マイクロフォン入力部と、
該トランスデューサの出力および該トランスデューサにおける該周囲のオーディオサウンドを示すエラーマイクロフォン信号を受信するためのエラーマイクロフォン入力部と、
応答を有する適合的フィルタを実装する処理回路であって、該応答は、該基準信号から、該リスナによって聞き取られる該周囲のオーディオサウンドの存在を低減するための該アンチノイズ信号を生成する、処理回路と
を備え、
該処理回路は、該適合的フィルタとの機能的直列で作用する所定の応答を有する第１の固定フィルタを実装し、該所定の応答は、該リスナによって聞き取られる該トランスデューサの音響出力のアンチノイズ信号成分を変更し、該処理回路は、該ソースオーディオを成形する二次経路応答を有する二次経路適合的フィルタと、コンバイナとをさらに実装し、該コンバイナは、該リスナに送達される組み合わされたアンチノイズと周囲のオーディオサウンドとを示すエラー信号を提供するために、該エラーマイクロフォン信号から該ソースオーディオを除去し、該処理回路は、さらに、該第１の固定フィルタの出力を差し引き、該二次経路適合的フィルタに提供されている該ソースオーディオに該適合的フィルタの出力を加え、該エラー信号から該第１の固定フィルタの効果を除去し、該処理回路は、該エラーマイクロフォン信号における該周囲のオーディオサウンドを最小化するために、該適合的フィルタの応答を適合させることによって、該エラー信号および該基準マイクロフォン信号に従う該適合的フィルタの応答を成形する、集積回路。
【請求項１４】
前記所定の応答は、前記アンチノイズ信号から特定の問題周波数を除去するために成形されている応答である、請求項１３に記載の集積回路。
【請求項１５】
前記特定の問題周波数は、前記基準マイクロフォンと前記エラーマイクロフォンとの間の音響経路に存在している、２ｋＨｚと５ｋＨｚとの間の周波数範囲におけるマルチパスヌルである、請求項１４に記載の集積回路。
【請求項１６】
前記処理回路は、位相応答を有する第２の固定フィルタをさらに実装し、該位相応答は、前記第１のフィルタの所定の位相応答と整合しているが、しかし、該第１の固定フィルタの該所定の応答が実質的な減衰を有する周波数帯域にわたる周波数を通過させる振幅応答を有し、該処理回路は、該第２の固定フィルタを用いて、前記ソースオーディオに加えられている前記適合的フィルタの出力をフィルタリングし、それによって、該第１の固定フィルタの位相応答は、該適合的フィルタの適合においてエラーを引き起こさず、該処理回路は、該第２の固定フィルタの応答と整合している応答を有する第３の固定フィルタをさらに実装し、該処理回路は、さらに、該第３の固定フィルタを用いて、前記二次経路適合的フィルタのコピーに供給されている前記基準マイクロフォン信号をフィルタリングする、請求項１３に記載の集積回路。
【請求項１７】
パーソナルオーディオデバイスであって、該パーソナルオーディオデバイスは、
パーソナルオーディオデバイス筐体と、
オーディオ信号を再生するために該筐体に設置されているトランスデューサであって、該オーディオ信号は、リスナへの再生のためのソースオーディオと、該トランスデューサの音響出力における周囲のオーディオサウンドの影響を打ち消すためのアンチノイズ信号との両方を含む、トランスデューサと、
該周囲のオーディオサウンドを示す基準マイクロフォン信号を提供するために該筐体に設置されている基準マイクロフォンと、
該トランスデューサの音響出力および該トランスデューサにおける該周囲のオーディオサウンドを示すエラーマイクロフォン信号を提供するために、該トランスデューサの近くにおいて該筐体に設置されているエラーマイクロフォンと、
応答を有する適合的フィルタを実装する処理回路であって、該応答は、該基準マイクロフォン信号から、該リスナによって聞き取られる該周囲のオーディオサウンドの存在を低減するための該アンチノイズ信号を生成する、処理回路と
を備え、
該処理回路は、該エラーマイクロフォンにおける該周囲のオーディオサウンドを最小化するために、該適合的フィルタの応答を適合させることによって、該エラーマイクロフォン信号および該基準マイクロフォン信号に従う該適合的フィルタの応答を成形し、該適合的フィルタの応答は、該適合的フィルタを束縛して該周囲のオーディオサウンドに対する該適合的フィルタの該適合することを変更するために、該適合的フィルタの係数制御ブロックへの入力を変更することによって該基準マイクロフォン信号から独立してさらに調節される、パーソナルオーディオデバイス。
【請求項１８】
前記適合的フィルタの応答は、注入されたノイズを前記係数制御ブロックへの入力と組み合わせることにより、該適合的フィルタの応答が、該適合的フィルタが該注入されたノイズをキャンセルするように適合することによって制御されることによって調節され、それによって、該適合的フィルタの応答は、該注入されたノイズの周波数範囲における周波数領域において低減される、請求項１７に記載のパーソナルオーディオデバイス。
【請求項１９】
前記適合的フィルタの応答は、注入されたノイズを受信するように該適合的フィルタのコピーを実装する処理回路によって、該適合的フィルタの前記適合から独立して調節され、該処理回路は、前記エラーマイクロフォン信号から該適合的フィルタのコピーの出力を除去し、それにより、該適合的フィルタのコピーの応答が、該適合的フィルタが前記周囲のオーディオサウンドと該注入されたノイズとの組み合わせをキャンセルするように適合することによって制御され、該処理回路は、さらに、該適合的フィルタのコピーにおいて適合された係数により該適合的フィルタの応答を制御し、それによって、該注入されたノイズは、前記アンチノイズ信号において存在しない、請求項１７に記載のパーソナルオーディオデバイス。
【請求項２０】
パーソナルオーディオデバイスのトランスデューサの近くにおける周囲のオーディオサウンドをキャンセルする方法であって、該方法は、
基準マイクロフォン信号を生成するために、基準マイクロフォンを用いて、該周囲のオーディオサウンドの第１の測定を行うことと、
エラーマイクロフォンを用いて、該トランスデューサの出力および該トランスデューサにおける該周囲のオーディオサウンドの第２の測定を行うことと、
該エラーマイクロフォンにおける該周囲のオーディオサウンドを最小化するために、適合的フィルタの応答を適合させることによって、該エラーマイクロフォンの出力および該基準マイクロフォンの出力に従う該適合的フィルタの応答を制御する該適合的フィルタの係数を調節することによって、該基準マイクロフォンの出力をフィルタリングする該適合的フィルタの応答を適合させることにより、該第１の測定および該第２の測定の結果から、該トランスデューサの音響出力における周囲のオーディオサウンドの影響を打ち消すためのアンチノイズ信号を適合的に生成することと、
該アンチノイズ信号をソースオーディオ信号と組み合わせることにより、該トランスデューサに提供されるオーディオ信号を生成することと、
該適合的フィルタを束縛して該周囲のオーディオサウンドに対する該適合的フィルタの適合を変更するために、該適合的に生成することから独立して該係数の調節への入力を変更することによって、該基準マイクロフォン信号の出力から独立して該適合的フィルタリングの応答を調節することと、
該音響出力を生成するために、該組み合わせることの結果を該トランスデューサに提供することと
を含む、方法。
【請求項２１】
前記適合的に生成することが注入されたノイズをキャンセルするために適合するように該注入されたノイズを前記係数制御ブロックへの入力と組み合わせることによって、前記適合的フィルタの応答を調節することをさらに含み、それによって、該適合的フィルタの応答は、該注入されたノイズの周波数範囲における周波数領域において低減される、請求項２０に記載の方法。
【請求項２２】
前記適合的フィルタの応答は、
該適合的フィルタの応答と実質的に同一である複製の応答により、前記注入されたノイズをフィルタリングすることと、
前記エラーマイクロフォン信号から前記フィルタリングの結果を除去することであって、それによって、該複製の応答は、前記適合的に生成することが前記周囲のオーディオサウンドと該注入されたノイズとの組み合わせをキャンセルするために適合することによって制御される、ことと、
該複製の応答において適合された係数により該適合的フィルタの応答を制御することであって、それによって、該注入されたノイズは、前記アンチノイズ信号において存在しない、ことと
により、該適合的に生成することから独立して調節される、請求項２０に記載の方法。
【請求項２３】
パーソナルオーディオデバイスの少なくとも一部分を実装するための集積回路であって、該集積回路は、
リスナへの再生のためのソースオーディオと、トランスデューサの音響出力における周囲のオーディオサウンドの影響を打ち消すためのアンチノイズ信号との両方を含む信号を該トランスデューサに提供するための出力部と、
該周囲のオーディオサウンドを示す基準マイクロフォン信号を受信するための基準マイクロフォン入力部と、
該トランスデューサの出力および該トランスデューサにおける該周囲のオーディオサウンドを示すエラーマイクロフォン信号を受信するためのエラーマイクロフォン入力部と、
応答を有する適合的フィルタを実装する処理回路であって、該応答は、該リスナによって聞き取られる該周囲のオーディオサウンドの存在を低減するために、該基準マイクロフォン信号から該アンチノイズ信号を生成する、処理回路と
を備え、
該処理回路は、該エラーマイクロフォンにおける該周囲のオーディオサウンドを最小化するために、該適合的フィルタの応答を適合させることによって、該エラーマイクロフォン信号および該基準マイクロフォン信号に従う該適合的フィルタの応答を成形し、該適合的フィルタの応答は、該適合的フィルタを束縛して該周囲のオーディオサウンドに対する該適合的フィルタの該適合することを変更するために、該適合的フィルタの係数制御ブロックへの入力を変更することによって該基準マイクロフォン信号から独立してさらに調節される、集積回路。
【請求項２４】
前記適合的フィルタの応答は、該適合的フィルタの応答が、該適合的フィルタが注入されたノイズをキャンセルするために適合することによって制御されるように、該注入されたノイズを前記係数制御ブロックへの入力と組み合わせることによって調節され、それによって、該適合的フィルタの応答は、該注入されたノイズの周波数範囲における周波数領域において低減される、請求項２３に記載の集積回路。
【請求項２５】
前記適合的フィルタの応答は、注入されたノイズを受信するように該適合的フィルタのコピーを実装する前記処理回路によって、該適合的フィルタの前記適合から独立して調節され、該処理回路は、前記エラーマイクロフォン信号から該適合的フィルタのコピーの出力を除去し、それにより、該適合的フィルタのコピーの応答が、該適合的フィルタが前記周囲のオーディオサウンドと該注入されたノイズとの組み合わせをキャンセルするように適合することによって制御され、該処理回路は、さらに、該適合的フィルタのコピーにおいて適合された係数により該適合的フィルタの応答を制御し、それによって、該注入されたノイズは、前記アンチノイズ信号において存在しない、請求項２３に記載の集積回路。
【手続補正２】
【補正対象書類名】明細書
【補正対象項目名】０００７
【補正方法】変更
【補正の内容】
【０００７】
添付の図面に例示されているとおり、本発明の前述の目的、特徴、および利点、ならびに、他の目的、特徴、および利点は、本発明の好ましい実施形態の以下のより詳細な説明から明らかとなる。
本願明細書は、例えば、以下の項目も提供する。
（項目１）
パーソナルオーディオデバイスであって、該パーソナルオーディオデバイスは、
パーソナルオーディオデバイス筐体と、
オーディオ信号を再生するために該筐体に設置されているトランスデューサであって、該オーディオ信号は、リスナへの再生のためのソースオーディオと、該トランスデューサの音響出力における周囲のオーディオサウンドの影響を打ち消すためのアンチノイズ信号との両方を含む、トランスデューサと、
該周囲のオーディオサウンドを示す基準マイクロフォン信号を提供するために該筐体に設置されている基準マイクロフォンと、
該トランスデューサの音響出力および該トランスデューサにおける該周囲のオーディオサウンドを示すエラーマイクロフォン信号を提供するために、該トランスデューサの近くにおいて該筐体に設置されている、エラーマイクロフォンと、
応答を有する適合的フィルタを実装する処理回路であって、該応答は、該基準信号から、該リスナによって聞き取られる該周囲のオーディオサウンドの存在を低減するための該アンチノイズ信号を生成する、処理回路と
を備え、該処理回路は、該エラーマイクロフォンにおける該周囲のオーディオサウンドを最小化するために、該適合的フィルタの応答を適合させることによって、該エラーマイクロフォン信号および該基準マイクロフォン信号に従い、該適合的フィルタの応答を成形し、該基準マイクロフォン信号に対する該アンチノイズ信号の応答は、該リスナによって聞き取られる該トランスデューサの音響出力のアンチノイズ信号成分を変更するための該適合から独立した付加的成形周波数応答を有する、
パーソナルオーディオデバイス。
（項目２）
前記処理回路は、前記適合的フィルタとの機能的直列で作用する所定の応答を有する第１の固定フィルタを実装し、該所定の応答は、前記成形周波数応答を提供する、項目１に記載のパーソナルオーディオデバイス。
（項目３）
前記処理回路は、前記ソースオーディオを成形する二次経路応答を有する二次経路適合的フィルタと、コンバイナとを実装し、該コンバイナは、前記リスナに送達される組み合わされたアンチノイズと周囲のオーディオサウンドとを示すエラー信号を提供するために、前記エラーマイクロフォン信号から該ソースオーディオを除去し、該処理回路は、該二次経路適合的フィルタのコピーをさらに実装し、該コピーは、前記基準マイクロフォン信号をフィルタリングして前記適合的フィルタに相互関連入力を提供し、該相互関連入力は、前記エラー信号と相互に関連して該適合的フィルタの適合を制御し、該処理回路は、該二次経路適合的フィルタの該コピーの出力と相互に関連している該エラー信号の成分を最小化するように該適合的フィルタを適合させ、該処理回路は、前記第１の固定フィルタの所定の応答と同一の応答を有する第２のフィルタをさらに実装し、該第２のフィルタは、該基準マイクロフォン信号を成形し、該適合的フィルタの応答の制御を安定させる、項目１に記載のパーソナルオーディオデバイス。
（項目４）
前記第２のフィルタは、低域通過応答をさらに含み、該低域通過応答は、前記適合的フィルタの制御が、前記アンチノイズ信号から前記第１の固定信号の前記所定の応答を除去するように適合することを防止し、前記処理回路は、前記エラー信号をフィルタリングする該低域通過応答を有する第３のフィルタを実装する、項目３に記載のパーソナルオーディオデバイス。
（項目５）
前記所定の応答は、前記アンチノイズ信号から特定の問題周波数を除去するために成形されている応答である、項目２に記載のパーソナルオーディオデバイス。
（項目６）
前記特定の問題周波数は、前記基準マイクロフォンと前記エラーマイクロフォンとの間の音響経路に存在している２ｋＨｚと５ｋＨｚとの間の周波数範囲におけるマルチパスヌルである、項目５に記載のパーソナルオーディオデバイス。
（項目７）
前記処理回路は、前記ソースオーディオを成形する二次経路応答を有する二次経路適合的フィルタと、コンバイナとを実装し、該コンバイナは、前記リスナに送達される組み合わされたアンチノイズと周囲のオーディオサウンドとを示すエラー信号を提供するために、前記エラーマイクロフォン信号から該ソースオーディオを除去し、該処理回路は、さらに、前記第１の固定フィルタの出力を差し引き、前記二次経路適合的フィルタに提供されている該ソースオーディオに前記適合的フィルタの出力を加え、該エラー信号から該第１の固定フィルタの効果を除去する、項目２に記載のパーソナルオーディオデバイス。
（項目８）
前記処理回路は、位相応答を有する第２の固定フィルタをさらに実装し、該位相応答は、前記第１のフィルタの所定の位相応答と整合しているが、しかし、該第１の固定フィルタの該所定の応答が実質的な減衰を有する周波数帯域にわたる周波数を通過させる振幅応答を有し、該処理回路は、該第２の固定フィルタを用いて、前記ソースオーディオに加えられる前記適合的フィルタの出力をフィルタリングし、それによって、該第１の固定フィルタの位相応答は、該適合的フィルタの適合においてエラーを引き起こさず、該処理回路は、該第２の固定フィルタの応答と整合している応答を有する第３の固定フィルタをさらに実装し、該処理回路は、さらに、該第３の固定フィルタを用いて、前記二次経路適合的フィルタのコピーに供給されている基準マイクロフォン信号をフィルタリングする、項目７に記載のパーソナルオーディオデバイス。
（項目９）
前記パーソナルオーディオデバイスは、ダウンリンクオーディオ信号として前記ソースオーディオを受信するためのトランシーバをさらに備えている無線電話機である、項目１に記載のパーソナルオーディオデバイス。
（項目１０）
前記パーソナルオーディオデバイスは、オーディオ再生デバイスであり、前記ソースオーディオは、プログラムオーディオ信号である、項目１に記載のパーソナルオーディオデバイス。
（項目１１）
パーソナルオーディオデバイスのトランスデューサの近くにおける周囲のオーディオサウンドをキャンセルする方法であって、該方法は、
基準マイクロフォン信号を生成するために、基準マイクロフォンを用いて、該周囲のオーディオサウンドの第１の測定を行うことと、
エラーマイクロフォンを用いて、該トランスデューサの出力および該トランスデューサにおける周囲のオーディオサウンドの第２の測定を行うことと、
該基準マイクロフォンの出力をフィルタリングする適合的フィルタの応答を適合させることにより、該第１の測定および該第２の測定の結果から、該トランスデューサの音響出力における該周囲のオーディオサウンドの影響を打ち消すためのアンチノイズ信号を適合的に生成することと、
該アンチノイズ信号をソースオーディオ信号と組み合わせることにより、該トランスデューサに提供されるオーディオ信号を生成することと、
該適合的フィルタの応答の適合から独立して、生成されたアンチノイズ信号に適用される周波数応答を成形することにより、リスナによって聞き取られる該トランスデューサの音響出力のアンチノイズ信号成分と、該トランスデューサの音響出力のアンチノイズ信号成分との間のエラーを低減することと
を含む、方法。
（項目１２）
前記成形することは、所定の応答を有する第１の固定フィルタを用いて、前記適合的に生成することの結果をフィルタリングすることによって実行される、項目１１に記載の方法。
（項目１３）
二次経路応答を用いて前記ソースオーディオのコピーを成形することと、
前記リスナに送達される組み合わされたアンチノイズと周囲のオーディオサウンドとを示すエラー信号を生成するために、前記エラーマイクロフォン信号から該ソースオーディオのコピーを該成形することの結果を除去することと、
前記適合的フィルタに入力を提供するために、前記第１の固定フィルタの前記所定の応答と同一の応答および前記二次経路適合的フィルタのコピーによる別の応答を用いて、前記基準マイクロフォン信号の第２のフィルタリングを行うことと
をさらに含む、項目１２に記載の方法。
（項目１４）
前記第２のフィルタリングの結果に低域通過応答を適用することにより、前記適合的に生成することが前記成形することをキャンセルするように適合することを防止することをさらに含み、該低域通過応答を有する別のフィルタを用いて、前記エラー信号をフィルタリングすることをさらに含む、項目１３に記載の方法。
（項目１５）
前記所定の応答は、前記アンチノイズ信号から特定の問題周波数を除去するために成形されている応答である、項目１３に記載の方法。
（項目１６）
前記特定の問題周波数は、前記基準マイクロフォンと前記エラーマイクロフォンとの間の音響経路に存在している２ｋＨｚと５ｋＨｚとの間の周波数範囲におけるマルチパスヌルである、項目１５に記載の方法。
（項目１７）
二次経路応答を用いて前記ソースオーディオのコピーを成形することと、
前記リスナに送達される組み合わされたアンチノイズと周囲のオーディオサウンドとを示すエラー信号を生成するために、前記エラーマイクロフォン信号から該ソースオーディオのコピーを該成形することの結果を除去することと、
前記適合的フィルタに入力を提供するために、前記二次経路適合的フィルタのコピーによる応答を用いて、前記基準マイクロフォン信号の第２のフィルタリングを行うことと、
該エラー信号から前記第１の固定フィルタの効果を除去するために、該第１の固定フィルタの出力を差し引き、前記二次経路適合的フィルタに提供されている該ソースオーディオに前記適合的フィルタの出力を加えることと
をさらに含む、項目１２に記載の方法。
（項目１８）
位相応答を有する第２の固定フィルタを用いて、前記ソースオーディオに加えられている適合的フィルタの出力の一部分をフィルタリングすることであって、該位相応答は、前記第１の固定フィルタの所定の位相応答と整合しているが、しかし、該第１の固定フィルタの該所定の応答が実質的な減衰を有する周波数帯域にわたる周波数を通過させる振幅応答を有し、それによって、該第１の固定フィルタの位相応答は、前記適合的に生成することにおいてエラーを引き起こさない、ことと、
応答を有する第３の固定フィルタを用いて、前記第２のフィルタリングに供給されている前記基準マイクロフォン信号をフィルタリングすることであって、該応答は、該第２の固定フィルタの応答に等しい、ことと
をさらに含む、項目１７に記載の方法。
（項目１９）
前記パーソナルオーディオデバイスは、無線電話機であり、前記方法は、ダウンリンクオーディオ信号として前記ソースオーディオを受信することをさらに含む、項目１３に記載の方法。
（項目２０）
前記パーソナルオーディオデバイスは、オーディオ再生デバイスであり、前記ソースオーディオは、プログラムオーディオ信号である、項目１３に記載の方法。
（項目２１）
パーソナルオーディオデバイスの少なくとも一部分を実装するための集積回路であって、該集積回路は、
リスナへの再生のためのソースオーディオと、トランスデューサの音響出力における周囲のオーディオサウンドの影響を打ち消すためのアンチノイズ信号との両方を含む信号を該トランスデューサに提供するための出力部と、
該周囲のオーディオサウンドを示す基準マイクロフォン信号を受信するための基準マイクロフォン入力部と、
該トランスデューサの出力および該トランスデューサにおける該周囲のオーディオサウンドを示すエラーマイクロフォン信号を受信するためのエラーマイクロフォン入力部と、
応答を有する適合的フィルタを実装する処理回路であって、該応答は、該基準信号から、該リスナによって聞き取られる該周囲のオーディオサウンドの存在を低減するための該アンチノイズ信号を生成する、処理回路と
を備え、該処理回路は、該エラーマイクロフォン信号における該周囲のオーディオサウンドを最小化するために、該適合的フィルタの応答を適合させることによって、該エラーマイクロフォン信号および該基準マイクロフォン信号に従い、該適合的フィルタの応答を成形し、該基準マイクロフォン信号に対する該アンチノイズ信号の応答は、該リスナによって聞き取られる該トランスデューサの音響出力のアンチノイズ信号成分を変更するための該適合から独立した付加的成形周波数応答を有する、
集積回路。
（項目２２）
前記処理回路は、前記適合的フィルタとの機能的直列で作用する所定の応答を有する第１の固定フィルタを実装し、該所定の応答は、前記成形周波数応答を提供する、項目２１に記載の集積回路。
（項目２３）
前記処理回路は、前記ソースオーディオを成形する二次経路応答を有する二次経路適合的フィルタと、コンバイナとを実装し、該コンバイナは、前記リスナに送達される組み合わされたアンチノイズと周囲のオーディオサウンドとを示すエラー信号を提供するために、前記エラーマイクロフォン信号から該ソースオーディオを除去し、該処理回路は、該二次経路適合的フィルタのコピーをさらに実装し、該コピーは、前記基準マイクロフォン信号をフィルタリングして前記適合的フィルタに相互関連入力を提供し、該相互関連入力は、前記エラー信号と相互に関連して該適合的フィルタの適合を制御し、該処理回路は、該二次経路適合的フィルタの該コピーの出力と相互に関連している該エラー信号の成分を最小化するように該適合的フィルタを適合させ、該処理回路は、前記第１の固定フィルタの所定の応答と同一の応答を有する第２のフィルタをさらに実装し、該第２のフィルタは、該基準マイクロフォン信号を成形し、該適合的フィルタの応答の制御を安定させる、項目２２に記載の集積回路。
（項目２４）
前記第２のフィルタは、低域通過応答をさらに含み、該低域通過応答は、前記適合的フィルタの制御が、前記アンチノイズ信号から前記第１の固定信号の前記所定の応答を除去するように適合することを防止し、前記処理回路は、前記エラー信号をフィルタリングする該低域通過応答を有する第３のフィルタを実装する、項目２３に記載の集積回路。
（項目２５）
前記所定の応答は、前記アンチノイズ信号から特定の問題周波数を除去するために成形されている応答である、項目２２に記載の集積回路。
（項目２６）
前記特定の問題周波数は、前記基準マイクロフォンと前記エラーマイクロフォンとの間の音響経路に存在している２ｋＨｚと５ｋＨｚとの間の周波数範囲におけるマルチパスヌルである、項目２５に記載の集積回路。
（項目２７）
前記処理回路は、前記ソースオーディオを成形する二次経路応答を有する二次経路適合的フィルタと、コンバイナとを実装し、該コンバイナは、前記リスナに送達される組み合わされたアンチノイズと周囲のオーディオサウンドとを示すエラー信号を提供するために、前記エラーマイクロフォン信号から該ソースオーディオを除去し、該処理回路は、さらに、前記第１の固定フィルタの出力を差し引き、前記二次経路適合的フィルタに提供されている該ソースオーディオに前記適合的フィルタの出力を加え、該エラー信号から該第１の固定フィルタの効果を除去する、項目２２に記載の集積回路。
（項目２８）
前記処理回路は、位相応答を有する第２の固定フィルタをさらに実装し、該位相応答は、前記第１のフィルタの所定の位相応答と整合しているが、しかし、該第１の固定フィルタの該所定の応答が実質的な減衰を有する周波数帯域にわたる周波数を通過させる振幅応答を有し、該処理回路は、該第２の固定フィルタを用いて、前記ソースオーディオに加えられている前記適合的フィルタの出力をフィルタリングし、それによって、該第１の固定フィルタの位相応答は、該適合的フィルタの適合においてエラーを引き起こさず、該処理回路は、該第２の固定フィルタの応答と整合している応答を有する第３の固定フィルタをさらに実装し、該処理回路は、さらに、該第３の固定フィルタを用いて、前記二次経路適合的フィルタのコピーに供給されている基準マイクロフォン信号をフィルタリングする、項目２７に記載の集積回路。
（項目２９）
パーソナルオーディオデバイスであって、該パーソナルオーディオデバイスは、
パーソナルオーディオデバイス筐体と、
オーディオ信号を再生するために該筐体に設置されているトランスデューサであって、該オーディオ信号は、リスナへの再生のためのソースオーディオと、該トランスデューサの音響出力における周囲のオーディオサウンドの影響を打ち消すためのアンチノイズ信号との両方を含む、トランスデューサと、
該周囲のオーディオサウンドを示す基準マイクロフォン信号を提供するために該筐体に設置されている基準マイクロフォンと、
該トランスデューサの音響出力および該トランスデューサにおける該周囲のオーディオサウンドを示すエラーマイクロフォン信号を提供するために、該トランスデューサの近くにおいて該筐体に設置されている、エラーマイクロフォンと、
応答を有する適合的フィルタを実装する処理回路であって、該応答は、該基準マイクロフォン信号から、該リスナによって聞き取られる該周囲のオーディオサウンドの存在を低減するための該アンチノイズ信号を生成する、処理回路と
を備え、該処理回路は、該エラーマイクロフォンにおける該周囲のオーディオサウンドを最小化するために、該適合的フィルタの応答を適合させることによって、該エラーマイクロフォン信号および該基準マイクロフォン信号に従い、該適合的フィルタの応答を成形し、該適合的フィルタの応答は、該適合的フィルタを束縛して該周囲のオーディオサウンドに対する該適合的フィルタの該適合を変更するために、該適合から独立してさらに調節される、
パーソナルオーディオデバイス。
（項目３０）
前記適合的フィルタは、
該適合的フィルタの第１の固定部分と、
該適合的フィルタの第２の適合的部分と
を備え、該第１の固定部分と該第２の適合的部分とは共に動作し、前記アンチノイズ信号を成形する前記応答を生成し、該第２の適合的部分は、該第２の適合的部分の応答を該第２の適合的部分の最初の応答に経時的に戻すリーク特性を有する、
項目２９に記載のパーソナルオーディオデバイス。
（項目３１）
前記適合的フィルタの応答は、注入されたノイズを前記基準マイクロフォン信号と組み合わせることにより、該適合的フィルタの応答が、該注入されたノイズをキャンセルするために適合する該適合的フィルタによって制御されることによって調節され、それによって、該適合的フィルタの応答は、該注入されたノイズの周波数範囲における周波数領域において低減される、項目２９に記載のパーソナルオーディオデバイス。
（項目３２）
前記適合的フィルタの応答は、該適合的フィルタのコピーを実装する処理回路であって、該適合的フィルタのコピーが、注入されたノイズを受信することにより、該適合的フィルタのコピーの応答が、前記周囲のオーディオサウンドと該注入されたノイズとの組み合わせをキャンセルするために適合する該適合的フィルタによって制御される、処理回路によって、該適合的フィルタの前記適合から独立して調節され、該処理回路は、さらに、該適合的フィルタのコピーにおいて適合された係数により該適合的フィルタの応答を制御し、それによって、該注入されたノイズは、前記アンチノイズ信号において存在しない、項目２９に記載のパーソナルオーディオデバイス。
（項目３３）
パーソナルオーディオデバイスのトランスデューサの近くにおける周囲のオーディオサウンドをキャンセルする方法であって、該方法は、
基準マイクロフォン信号を生成するために、基準マイクロフォンを用いて、該周囲のオーディオサウンドの第１の測定を行うことと、
エラーマイクロフォンを用いて、該トランスデューサの出力および該トランスデューサにおける周囲のオーディオサウンドの第２の測定を行うことと、
該基準マイクロフォンの出力をフィルタリングする適合的フィルタの応答を適合させることにより、該第１の測定および該第２の測定の結果から、該トランスデューサの音響出力における該周囲のオーディオサウンドの影響を打ち消すためのアンチノイズ信号を適合的に生成することと、
該アンチノイズ信号をソースオーディオ信号と組み合わせることにより、該トランスデューサに提供されるオーディオ信号を生成することと、
該適合的フィルタを束縛して該周囲のオーディオサウンドに対する該適合的フィルタの適合を変更するために、該適合的に生成することから独立して、該適合的フィルタリングの応答を調節することと、
該音響出力を生成するために、該組み合わせることの結果を該トランスデューサに提供することと
を含む、方法。
（項目３４）
前記適合的フィルタは、該適合的フィルタの第１の固定部分と該適合的フィルタの第２の適合的部分とを備え、前記方法は、該第１の固定部分と該第２の適合的部分とを共に作動させ、前記適合的に生成することを実行することをさらに含み、該方法は、該第２の適合的部分の応答を該第２の適合的部分の最初の応答に経時的に戻し、リークを引き起こすことをさらに含む、項目３３に記載の方法。
（項目３５）
注入されたノイズを前記基準マイクロフォン信号と組み合わせることにより、前記適合的フィルタの応答を調節することをさらに含み、前記適合的に生成することは、該注入されたノイズをキャンセルするために適合し、それによって、該適合的フィルタの応答は、該注入されたノイズの周波数範囲における周波数領域において低減される、項目３３に記載の方法。
（項目３６）
前記適合的に生成する適合的フィルタの応答は、
該適合的フィルタの応答と実質的に同一である複製の応答により、前記注入されたノイズをフィルタリングすることであって、それによって、該複製の応答は、前記適合的に生成することが前記周囲のオーディオサウンドと該注入されたノイズとの組み合わせをキャンセルするために適合することによって制御される、ことと、
該複製の応答において適合された係数により該適合的フィルタの応答を制御することであって、それによって、該注入されたノイズは、前記アンチノイズ信号において存在しない、ことと
により、該適合的に生成することから独立して調節される、項目３３に記載の方法。
（項目３７）
パーソナルオーディオデバイスの少なくとも一部分を実装するための集積回路であって、該集積回路は、
リスナへの再生のためのソースオーディオと、トランスデューサの音響出力における周囲のオーディオサウンドの影響を打ち消すためのアンチノイズ信号との両方を含む信号を該トランスデューサに提供するための出力部と、
該周囲のオーディオサウンドを示す基準マイクロフォン信号を受信するための基準マイクロフォン入力部と、
該トランスデューサの出力および該トランスデューサにおける該周囲のオーディオサウンドを示すエラーマイクロフォン信号を受信するためのエラーマイクロフォン入力部と、
応答を有する適合的フィルタを実装する処理回路であって、該応答は、該リスナによって聞き取られる該周囲のオーディオサウンドの存在を低減するための該アンチノイズ信号を成形する、処理回路と
を備え、該適合的フィルタの応答は、該適合的フィルタを束縛して該周囲のオーディオサウンドに対する該適合的フィルタの該適合を変更するために、該周囲のオーディオサウンドに対する該適合的フィルタの該適合から独立して調節される、
集積回路。
（項目３８）
前記適合的フィルタは、
該適合的フィルタの第１の固定部分と、
該適合的フィルタの第２の適合的部分と
を備え、該第１の固定部分と該第２の適合的部分とは共に動作し、前記アンチノイズ信号を成形する前記応答を生成し、該第２の適合的部分は、該第２の適合的部分の応答を該第２の適合的部分の最初の応答に経時的に戻すリーク特性を有する、
項目３７に記載の集積回路。
（項目３９）
前記適合的フィルタの応答は、注入されたノイズを前記基準マイクロフォン信号と組み合わせることにより、該適合的フィルタの応答が、該注入されたノイズをキャンセルするために適合する該適合的フィルタによって制御されることによって調節され、それによって、該適合的フィルタの応答は、該注入されたノイズの周波数範囲における周波数領域において低減される、項目３７に記載の集積回路。
（項目４０）
前記適合的フィルタの応答は、該適合的フィルタのコピーを実装する処理回路であって、該適合的フィルタのコピーが、注入されたノイズを受信することにより、該適合的フィルタのコピーの応答が、前記周囲のオーディオサウンドと該注入されたノイズとの組み合わせをキャンセルするために適合する該適合的フィルタによって制御される、処理回路によって、該適合的フィルタの前記適合から独立して調節され、該処理回路は、さらに、該適合的フィルタのコピーにおいて適合された係数により該適合的フィルタの応答を制御し、それによって、該注入されたノイズは、前記アンチノイズ信号において存在しない、項目３７に記載の集積回路。
（項目４１）
パーソナルオーディオデバイスであって、該パーソナルオーディオデバイスは、
パーソナルオーディオデバイス筐体と、
オーディオ信号を再生するために該筐体に設置されているトランスデューサであって、該オーディオ信号は、リスナへの再生のためのソースオーディオと、該トランスデューサの音響出力における周囲のオーディオサウンドの影響を打ち消すためのアンチノイズ信号との両方を含む、トランスデューサと、
該周囲のオーディオサウンドを示す基準マイクロフォン信号を提供するために該筐体に設置されている基準マイクロフォンと、
該トランスデューサの音響出力および該トランスデューサにおける該周囲のオーディオサウンドを示すエラーマイクロフォン信号を提供するために、該トランスデューサの近くにおいて該筐体に設置されている、エラーマイクロフォンと、
固定周波数応答と調節可能ゲインとを有するフィルタを実装する処理回路であって、該調節可能ゲインは、該リスナによって聞き取られる該周囲のオーディオサウンドの存在を低減するための該アンチノイズ信号の大きさを調節する、処理回路と、
を備え、該処理回路は、該エラーマイクロフォンにおける該周囲のオーディオサウンドを最小化するために、該フィルタの該ゲインを調節する、
パーソナルオーディオデバイス。
（項目４２）
パーソナルオーディオデバイスのトランスデューサの近くにおける周囲のオーディオサウンドをキャンセルする方法であって、該方法は、
基準マイクロフォン信号を生成するために、基準マイクロフォンを用いて、該周囲のオーディオサウンドの第１の測定を行うことと、
エラーマイクロフォンを用いて、該トランスデューサの出力および該トランスデューサにおける周囲のオーディオサウンドの第２の測定を行うことと、
該基準マイクロフォンの出力をフィルタリングするフィルタのゲインを調節することにより、該第１の測定および該第２の測定の結果から、該トランスデューサの音響出力における該周囲のオーディオサウンドの影響を打ち消すためのアンチノイズ信号を適合的に生成することと、
該アンチノイズ信号をソースオーディオ信号と組み合わせることにより、該トランスデューサに提供されるオーディオ信号を生成することと、
該音響出力を生成するために、該組み合わせることの結果を該トランスデューサに提供することと
を含む、方法。
（項目４３）
パーソナルオーディオデバイスの少なくとも一部分を実装するための集積回路であって、該集積回路は、
リスナへの再生のためのソースオーディオと、トランスデューサの音響出力における周囲のオーディオサウンドの影響を打ち消すためのアンチノイズ信号との両方を含む信号を該トランスデューサに提供するための出力部と、
該周囲のオーディオサウンドを示す基準マイクロフォン信号を受信するための基準マイクロフォン入力部と、
該トランスデューサの出力および該トランスデューサにおける該周囲のオーディオサウンドを示すエラーマイクロフォン信号を受信するためのエラーマイクロフォン入力部と、
固定周波数応答と調節可能ゲインとを有するフィルタを実装する処理回路であって、該調節可能ゲインは、該リスナによって聞き取られる該周囲のオーディオサウンドの存在を低減するための該アンチノイズ信号の大きさを調節する、処理回路と、
を備え、該処理回路は、該エラーマイクロフォンにおける該周囲のオーディオサウンドを最小化するために、該フィルタの該ゲインを調節する、
集積回路。